(57)【要約】【課題】  静かなところで真空掃除機を使用可能な真空掃除機用モータ組立体およびこれを備えた真空掃除機を提供する。【解決手段】  本発明にかかる真空掃除機のモータ組立体は、吸込力を生成させるモータと;モータと集塵装置とを連結する空気流路上に設けられ、排気される空気を再度フィルタリングする補助フィルタ部材と；モータケースと;を含み、モータケースは、集塵装置と連結され、補助フィルタ部材が設けられる第１のチャンバと、掃除機本体の排気口と連結され、モータの外郭を取り囲む第２のチャンバと、第１および第２のチャンバを互いに空気疎通が可能に連結する連結流路と、を含む。【選択図】    図３
2005028105.tif 000002
【特許請求の範囲】
【請求項１】
被掃除面からゴミを吸込む吸込力を生成させるよう掃除機本体に格納されるモータ組立体であって、
前記吸込力を発生させるモータと;
前記吸込力により前記ゴミが含まれた状態で吸込まれる外気からゴミを分離する集塵装置を前記モータに連結する空気流路上に設けられ、前記集塵装置から排気される空気を再度フィルタリングする補助フィルタ部材と;
前記集塵装置と連結され前記補助フィルタ部材が設けられる第１のチャンバと、前記掃除機本体の排気口と連結され前記モータが設けられる第２のチャンバと、前記第１および第２のチャンバを互いに空気疎通可能に連結する連結流路を含むモータケースと;
を含むことを特徴とする真空掃除機のモータ組立体。
【請求項２】
前記第１のチャンバは、前記掃除機本体の外壁を貫通し前記掃除機本体の外部に露出される出入口によってその一側がオープンされ、
前記補助フィルタ部材は、前記出入口を介して前記第１のチャンバに着脱自在に取付けられることを特徴とする請求項１に記載の真空掃除機のモータ組立体。
【請求項３】
前記モータケースは、前記出入口を介して前記第１のチャンバに着脱自在に設けられる着脱部材をさらに含み、
前記着脱部材は、
前記補助フィルタ部材を保持する保持部と;
前記保持部の一側に設けられ、前記保持部が前記第１のチャンバに挿入されたとき前記出入口を覆って前記掃除機本体の外部から前記出入口を遮断させる蓋体部と;
を含むことを特徴とする請求項２に記載の真空掃除機のモータ組立体。
【請求項４】
前記モータケースは、
前記第１のチャンバがその内部に形成され、前記第１のチャンバと前記集塵装置とを空気疎通可能に連結させる第１のポートを含む第１のケースと;
前記第１のケースと結合し前記第２のチャンバを形成させ、前記第２のチャンバと前記真空掃除機の排気口とを連結する第２のポートを含む第２のケース;を含み、
前記連結流路は、前記第１および第２のケースの結合時に前記第１および第２のチャンバを互いに連結させるよう前記第１のケースの一側壁に貫通形成される連結孔を含むことを特徴とする請求項２に記載の真空掃除機のモータ組立体。
【請求項５】
前記第２のケースは、前記連結孔を介して前記第２のチャンバに吸込まれた空気をガイドし、前記空気が前記モータの外周面に沿って前記第２のケース内で所定の距離旋回した後、前記第２のポートを介して排気されるように案内する案内ダクトをさらに含むことを特徴とする請求項４に記載の真空掃除機のモータ組立体。
【請求項６】
前記モータケースは、前記連結流路を介して前記第２のチャンバに吸込まれた空気が、前記モータの外周面に沿って前記モータケース内で所定の距離旋回した後、前記排気口に排気されるように案内する案内ダクトを含むことを特徴とする請求項１に記載の真空掃除機のモータ組立体。
【請求項７】
ゴミ吸込孔を備える吸気口組立体と;
前記吸気口組立体の一側に回動自在に設けられ、前記ゴミ吸込孔と空気疎通可能に順次配される集塵チャンバおよび排気口を有する掃除機本体と;
前記掃除機本体に格納され、その駆動時に前記ゴミ吸込孔に吸込力が発生されるようにし、その上部の外壁が前記集塵チャンバの底面をなすモータ組立体と;
前記集塵チャンバに設けられ前記ゴミ吸込孔を介して吸込まれた外気からゴミを分離する集塵装置;
を含み、
前記モータ組立体は、
前記吸込力を発生させるモータと;
前記集塵装置に空気疎通可能に連結され、前記集塵装置から排気される空気を再度フィルタリングする補助フィルタ部材が取付けられる第１のチャンバと、前記掃除機本体の排気口と連結され前記モータが設けられる第２のチャンバと、前記第１および第２のチャンバを互いに空気疎通可能に連結する連結流路を含むモータケースと;
を含むことを特徴とする真空掃除機。
【請求項８】
前記第１のチャンバは、前記掃除機本体の外壁を貫通し前記掃除機本体の外部に露出される出入口によりその一側がオープンされ、
前記補助フィルタ部材は、前記出入口を介して前記第１のチャンバに着脱自在に取付けられることを特徴とする請求項７に記載の真空掃除機。
【請求項９】
前記モータケースは、前記出入口を介して前記第１のチャンバに着脱自在に設けられる着脱部材をさらに含み、
前記着脱部材は、
前記補助フィルタ部材を保持する保持部と;
前記保持部の一側に設けられ、前記保持部が前記第１のチャンバに挿入されたとき前記出入口を覆って前記掃除機本体の外部から前記出入口を遮断させる蓋体部と;
を含むことを特徴とする請求項８に記載の真空掃除機。
【請求項１０】
前記モータケースは、前記連結流路から前記第２のチャンバに吸込まれた空気をガイドし、前記空気が前記モータの外周面に沿って前記モータケース内で所定の旋回角の分旋回した後、前記排気口に排気されるように案内する案内ダクトを含むことを特徴とする請求項７に記載の真空掃除機。
【請求項１１】
前記モータケースは、
前記第１のチャンバがその内部に形成され、前記第１のチャンバと前記集塵装置とを空気疎通可能に連結させる第１のポートを含む第１のケースと;
前記第１のケースと結合され、前記第２のチャンバを形成させ、前記第２のチャンバと前記真空掃除機本体の排気口とを連結する第２のポートを含む第２のケースと;を含み、
前記連結流路は、前記第１および第２のケースの結合時、前記第１および第２のチャンバとを互いに連結させるよう前記第１のケースの一側壁に貫通形成される連結孔を含むことを特徴とする請求項７に記載の真空掃除機。
【請求項１２】
前記第２のケースは、前記連結孔を介して前記第２のチャンバに吸込まれた空気をガイドし、前記空気を前記モータの外周面に沿って前記第２のケース内で所定の旋回角の分旋回した後、前記第２のポートを介して排気されるように案内する案内ダクトを含むことを特徴とする請求項１１に記載の真空掃除機。
【請求項１３】
前記集塵装置は、前記ゴミ吸込孔を介して吸込まれた空気を旋回させることで発生される遠心力を用いてゴミを分離するサイクロン集塵装置を含み、
前記サイクロン集塵装置は、
前記集塵チャンバの上端部に固設され、前記ゴミ吸込孔と前記モータケースと空気疎通可能に連結されるサイクロンヘッド部と;
前記サイクロンヘッド部の下端に着脱自在に設けられ、サイクロンチャンバを形成させ前記サイクロンチャンバから遠心分離されたゴミが積載されるダストカップと;
を含むことを特徴とする請求項７に記載の真空掃除機。
【請求項１４】
前記集塵チャンバには、前記集塵チャンバに挿入された前記ダストカップを上昇させ前記サイクロンヘッド部と結合させる昇降ユニットが設けられ、
前記昇降ユニットは、前記モータ組立体の上部外壁上に設けられることを特徴とする請求項１３に記載の真空掃除機。
【請求項１５】
前記昇降ユニットは、
前記モータ組立体の上部外壁に回動自在に設けられるレバー部材と;
前記集塵チャンバに挿入される前記ダストカップの下面を保持し、前記レバー部材の上部に昇降可能に設けられるディスクと;
前記レバー部材とディスクとの間に設けられ、前記レバー部材の回動時に前記ディスクを昇降させるカム駆動部と;
を含むことを特徴とする請求項１４に記載の真空掃除機。
【請求項１６】
掃除機本体に格納され被掃除面からゴミを吸込む吸込力を生成させるモータ組立体であって、
前記吸込力を発生させるモータと;
前記モータが設けられるチャンバがその内部に形成され、前記吸込力により前記ゴミを含んだ状態で前記掃除機本体内に吸込まれる外気から前記ゴミを分離する集塵装置と前記チャンバとを連結する第１のポート、および前記掃除機本体の排気口と前記チャンバとを連結する第２のポートを有するモータケースと;を含み、
前記モータケースは、前記第１のポートを介して吸込まれた空気が前記モータの外周面に沿って前記モータケース内で所定の旋回角の分旋回した後、前記第２のポートを介して排気されるように案内する案内ダクトを含むことを特徴とする真空掃除機のモータ組立体。
【請求項１７】
前記モータケースは、前記チャンバ内を横切るように設けられた隔壁によって前記モータケース内に区画形成される第１のチャンバおよび第２のチャンバを含むことを特徴とする請求項１６に記載の真空掃除機のモータ組立体。
【請求項１８】
前記第１のチャンバは、前記第1および第２のポートを連結する空気流路上に配され、前記第１のポートを介して前記第１のチャンバ内に吸込まれる空気をフィルタリングする補助フィルタ部材がその内部に着脱自在に設けられることを特徴でする請求項１７に記載の真空掃除機のモータ組立体。
【請求項１９】
前記第１のチャンバは、前記掃除機本体の外壁を貫通し前記掃除機本体の外部に露出される出入口によりその一側がオープンされ、
前記補助フィルタ部材は、前記出入口を介して前記第１のチャンバに着脱自在に取付けられることを特徴とする請求押１８に記載の真空掃除機のモータ組立体。
【請求項２０】
前記モータケースは、前記出入口を介して前記第１のチャンバに着脱自在に取付けられる着脱部材をさらに含み、
前記着脱部材は、前記補助フィルタ部材を保持し、前記吸気口と前記連結流路との空気疎通が可能になるよう複数の貫通孔が形成された保持部;および
前記保持部の一側に設けられ、前記保持部が前記第１のチャンバ内に位置するとき前記出入口を覆う蓋体部;
を含むことを特徴とする請求項１９に記載の真空掃除機のモータ組立体。
【請求項２１】
前記第２のチャンバは、前記第１のチャンバと所定の連結流路を介して前記第１のチャンバに連結され、その内部に前記モータが設けられることを特徴とする請求項１７に記載の真空掃除機のモータ組立体。
【請求項２２】
前記連結流路は、前記隔壁に貫通形成された連結孔であることを特徴とする請求項１７に記載の真空掃除機のモータ組立体。
【発明の詳細な説明】
【技術分野】
【０００１】
本発明は、真空掃除機に関し、特に、被掃除面のゴミを吸入するための吸込力を生成させるよう真空掃除機内に設けられたモータ組立体に関する。
【背景技術】
【０００２】
通常、真空掃除機は駆動時に被掃除面に沿って移動しつつ被掃除面における散在したゴミを周辺空気と共に吸込み掃除を行なう装置であり、掃除機本体および吸気口組立体を含む。
【０００３】
図１は、真空掃除機の中アップライト型真空掃除機の外観を示した図であり、図２は図１に示した真空掃除機の掃除機本体を示した図である。
【０００４】
図１および図２を参照すれば、従来のアップライト型真空掃除機１００は吸気口組立体１１０、掃除機本体１２０、集塵装置１３０、モータ組立体１５０を含む。
【０００５】
吸気口組立体１１０には、前記被掃除面のゴミを吸込むゴミ吸込孔(図示せず)がその底面に形成される。
【０００６】
掃除機本体１２０は、吸気口組立体１１０の一側に回動自在に連結されており、その後方には前記ゴミ吸込孔を介して吸入され集塵装置１３０によってゴミが濾し出された空気が排気される排気口１２７が形成される。かかる掃除機本体１２０の外郭は前方ケース１２１と後方ケース１２２により形成される。集塵装置１３０は、吸気口組立体１１０を介して吸込まれた外気からゴミを分離する装置であって、本図面に示された真空掃除機１００は、掃除機本体１２０の集塵チャンバ１２５に取付けられ、前記外気を旋回させることによって発生する遠心力を用いてゴミを分離するサイクロン集塵装置１３０、該サイクロン集塵装置１３０から排気される空気を再度フィルタリングする補助フィルタ組立体１４０を含む。参考に、未説明符号１６０は、サイクロン集塵装置１３０のダストカップ１３５を集塵チャンバ１２５内で昇降させ、掃除機本体１２０の集塵チャンバ１２５の上端に固設されたサイクロンヘッド部１３１に結合/分離させる昇降ユニットである。
【０００７】
モータ組立体１５０は、前記ゴミ吸込孔に吸込力を発生させるためのもので、前記ゴミ吸込孔に空気疎通可能に連結されるよう掃除機本体１２０に格納される。かかるモータ組立体１５０は前述の吸込力を発生させるモータ３０５（図４参照）の外郭を取り囲むモータケース１５３を含む。該モータケース１５３は、補助フィルタ組立体１４０から排気される空気を掃除機本体１２０の排気口１２７へ導く役割を果たす。
【０００８】
前述のように構成される従来の真空掃除機と類似した真空掃除機は、米国特許５２３０７２２にも開示されてあるため、詳細な構成はこれを参照すればよい。
【０００９】
かかる従来の真空掃除機１００は、モータ組立体１５０、補助フィルタ組立体１４０それぞれが別に構成されているので、モータ組立体１５０と補助フィルタ組立体１４０とを連結する空気流路が必要とされる。このような前記空気流路をシーリングするためのシーリング装置１８０もさらに必要とされる。
【００１０】
これによれば、モータ組立体１５０と補助フィルタ組立体１４０および前記空気流路の連結部位を介して駆動ノイズが漏れてしまい、静かなところでは掃除機の使用が容易でないという問題点があった。
【００１１】
さらに、別途の空気流路とシーリング装置とをさらに設置することで真空掃除機１００の製造工程が複雑になると共に、製造コストも上昇してしまうという問題点もある。
【発明の開示】
【発明が解決しようとする課題】
【００１２】
本発明は前述した従来の問題点を解決するために案出されたもので、その目的は、真空掃除機の駆動時に発生するノイズを低減させ、より静かな状態で真空掃除機を使用することができるよう、その構成が改善された真空掃除機用モータ組立体およびそれを備える真空掃除機を提供することにある。
【課題を解決するための手段】
【００１３】
前記目的を達成するための本発明にかかる真空掃除機のモータ組立体は、ゴミ吸気孔に吸込力を生成させるモータと;前記モータと前記吸込力により前記ゴミが含まれた状態で吸入される外気からゴミを分離する集塵装置を連結する空気流路上に設けられ、前記集塵装置から排気される空気を再度フィルタリングする補助フィルタ部材と；前記集塵装置と連結し前記補助フィルタ部材が設けられる第１のチャンバと、前記掃除機本体の排気口と連結し、前記モータが設けられる第２のチャンバがその内部に区画形成され、前記第１および第２のチャンバを互いに空気疎通可能に連結する連結流路を含むモータケースと;を含むことを特徴とする。
【００１４】
本発明によれば、前記第１のチャンバは、前記掃除機本体の外壁を貫通し前記掃除機本体の外部に露出される出入口によってその一側がオープンされ、前記補助フィルタ部材は、前記出入口を介して前記第１のチャンバに着脱自在に取付けられる。
【００１５】
なお、前記モータケースは、前記出入口を介して前記第１のチャンバに着脱自在に設けられる着脱部材をさらに含み、前記着脱部材は、前記補助フィルタ部材を保持する保持部と;前記保持部の一側に設けられ前記保持部が前記第１のチャンバに挿入されたとき前記出入口を覆って前記掃除機本体の外部から前記出入口を遮断させる蓋体部と;を含むことが好ましい。
【００１６】
前記出入口の縁部に沿って前記モータケースにシーリング部材がさらに設けられることが好ましい。
【００１７】
一方、前記モータケースは、前記第１のチャンバがその内部に形成され、前記第１のチャンバと前記集塵装置とを空気疎通可能に連結させる第１のポートを含む第１のケースと;前記第１のケースと結合し前記第２のチャンバを前記モータケース内に形成させ、前記第２のチャンバと前記真空掃除機の排気口とを連結する第２のポートを含む第２のケース;を含み、前記連結流路は、前記第１および第２のケースの結合時に前記第１および第２のチャンバを互いに連結させるよう前記第１のケースの一側壁に貫通形成される連結孔を含む。
【００１８】
ここで、前記第２のケースは、前記連結孔を介して前記第２のチャンバに吸込まれた空気をガイドし、前記空気が前記モータの円周方向に沿って前記第２のケース内で所定の距離旋回した後、前記第２のポートから排気されるように案内する案内ダクトをさらに含むことが好ましい。
【００１９】
本発明の他の観点による真空掃除機は、ゴミ吸込孔が下端面に形成された吸気口組立体と;前記吸気口組立体の一側に回動自在に設けられ、前記ゴミ吸込孔と空気疎通可能に順次配される集塵チャンバおよび排気口を有する掃除機本体と;前記掃除機本体に格納されその駆動時に前記ゴミ吸込孔に吸込力が発生されるようにし、その上部の外壁が前記集塵チャンバの底面をなすモータ組立体と;前記集塵チャンバに設けられ前記ゴミ吸込孔を介して吸込まれた外気からゴミを分離する集塵装置;を含み、前記吸込力を発生させるモータと;前記集塵装置に空気疎通可能に連結され、前記集塵装置から排気される空気を再度フィルタリングする補助フィルタ部材が取付けられる第１のチャンバと、前記掃除機本体の排気口と連結され前記モータが設けられる第２のチャンバそれぞれがその内部に区画形成され、前記第１および第２のチャンバを互い空気疎通可能に連結する連結流路を含むモータケースと;を含むことを特徴とする。
【００２０】
なお、前記集塵装置は、前記ゴミ吸込孔を介して吸込まれた空気を旋回させることで発生される遠心力を用いてゴミを分離するサイクロン集塵装置を含み、前記サイクロン集塵装置は、前記集塵チャンバの上端部に固設され、前記ゴミ吸込孔と前記モータケースとの空気疎通を可能に連結するサイクロンヘッド部と;前記サイクロンヘッド部の下端に着脱自在に設けられ、サイクロンチャンバを形成させ、前記サイクロンチャンバから遠心分離されたゴミが積載されるダストカップと;を含むことが好ましい。
【００２１】
そして、前記集塵チャンバには、前記集塵チャンバに挿入された前記ダストカップを上昇させ前記サイクロンヘッド部と結合させる昇降ユニットが設けられ、前記昇降ユニットは、前記モータ組立体の上部外壁上に設けられることが好ましい。
【００２２】
さらに、前記昇降ユニットは、前記モータ組立体の上部外壁に回動自在に設けられるレバー部材と;前記集塵チャンバに挿入される前記ダストカップの下面を保持し、前記レバー部材の上部に昇降可能に設けられるディスクと;前記レバー部材とディスクとの間に設けられ前記レバー部材の回動時に前記ディスクを昇降させるカム駆動部と;を含むことがもっとも好ましい。
【００２３】
他の観点によれば、真空掃除機用のモータ組立体は、前記吸込力を発生させるモータと;前記モータが設けられるチャンバがその内部に形成され、前記吸込力により前記ゴミを含んだ状態で前記掃除機本体内に吸込まれる外気から前記ゴミを分離する集塵装置と前記チャンバとを連結する第１のポート、および前記掃除機本体の排気口と前記チャンバとを連結させる第２のポートを有するモータケースと;を含み、前記モータケースは、前記第１のポートを介して吸込まれた空気が前記モータの円周方向に沿って前記モータケース内で所定の旋回角の分旋回した後、前記第２のポートを介して排気されるように案内する案内ダクトを含むことを特徴とする。
【発明の効果】
【００２４】
本発明によると、独立的に掃除機本体に設けられたモータ組立体と補助フィルタ組立体が１つのモータケースに統合的に設けられることによってモータ組立体と補助フィルタ組立体との連結部位に設けられた別途のシーリング装置を必要としない。
【００２５】
これによって、真空掃除機の駆動時にモータ組立体と補助フィルタ組立体を連結する連結部位を介して駆動ノイズ漏れを抑え、より静な環境で掃除作業ができる。
【００２６】
そして、１つのモータ組立体につき補助フィルタ部材とサイクロン集塵装置用昇降ユニットの機能が統合されるので真空掃除機の製造コストをダウンさせ得る効果がある。
【００２７】
また、モータケース内に形成された案内ダクトにより排気流路はモータケース内で所定の長さ延長するため、真空掃除機の駆動ノイズを低減させることができる。
【発明を実施するための最良の形態】
【００２８】
以下、本発明の好適な実施形態につき添付された図を参照して詳説する。参考に、本発明の実施形態を説明することにあたって、図１および図２に図示かつ説明された従来の真空掃除機の構成要素と同一な構成および機能を有する真空掃除機の構成要素について従来と同一な参照符号を付して引用する。図３ないし図７を参照すれば、本発明の好適な実施形態にかかる真空掃除機は、掃除機本体２２０、サイクロン集塵装置１３０、モータ組立体３００を有している。
【００２９】
図３に示すよう、本発明の実施形態にかかる掃除機本体２２０は、集塵チャンバ２２５および排気口１２７を含み、モータ組立体３００を格納する。これによれば、吸気口組立体１１０（図１参照）のゴミ吸込孔(図示せず)を介して外部から吸込まれた空気は集塵チャンバ２２５とモータ組立体３００とを順次に経由した後、排気口１２７を介して掃除機本体２２０の外部に排気される。
【００３０】
サイクロン集塵装置１３０は、前記ゴミ吸込孔を介して流入された外気からゴミを分離するための集塵装置の一種であって、前記ゴミ吸込孔を介して吸込まれた外気を旋回させ旋回気流を生成させると共に、該旋回気流の遠心力からゴミを分離する。本実施形態におけるサイクロン集塵装置１３０は、サイクロンヘッド部１３１とダストカップ１３５を含む。サイクロンヘッド部１３１は、集塵チャンバ２２５の上端部に固設され前記ゴミ吸込孔に空気疎通可能に連結される入口１３２、後述されるモータケース３１０に空気疎通可能に連結される出口１３３を有する。ダストカップ１３５は、サイクロンヘッド部１３１の下端に分離可能に結合し、結合時に前記外気が旋回されるサイクロンチャンバが内部に形成される。参考に、未説明符号１３４、２２９はサイクロンヘッド部１３１を集塵チャンバ２２５に固定させるための締結部材と締結孔である。
【００３１】
以上のように構成される本実施形態にかかる真空掃除機は、前述のようなサイクロン集塵装置１３０のダストカップ１３５をサイクロンヘッド部１３１に結合させるために昇降ユニット２６０をさらに含む。前記昇降ユニット２６０は、集塵チャンバ２２５に挿入された状態のダストカップ１３５を上昇させサイクロンヘッド部１３１と結合させるためのものであり、レバー部材２６１とディスク２６３およびカム駆動部(図示せず)を含み、集塵チャンバ２２５の底面に設けられる。前記レバー部材２６１は、集塵チャンバ２２５の底面に図４の矢印(a)方向で掃除機本体２２０について左右回動が可能に設けられ、その上部にはダストカップ１３５の底面を保持するディスク２６３がレバー部材２６１の回動時に昇降できるよう設けられる。そして、レバー部材２６１とディスク２６３との間には、レバー部材２６１の回動時にディスク２６３を昇降させるための前記カム駆動部が設けられる。該カム駆動部は、レバー部材２６１の回動によってディスク２６３を昇降させることができる構成ならば多様な形態で構成可能であるため、それに対する詳説は省略する。
【００３２】
モータ組立体３００は、集塵装置１３０と排気口１２７を連結する空気流路上に配されるように掃除機本体２２０に設けられ、モータ３０５（図４参照）と補助フィルタ部材２７０およびモータケース３１０を含む。本発明にかかるモータ組立体３００は、補助フィルタ部材２７０がモータケース３１０に直接着脱自在に設けられるという点において、前述された従来のモータ組立体３００の技術構成と対比される相違点を有する。これによれば、真空掃除機の駆動時に補助フィルタ部材２７０からモータ３０５を連結する連結流路を介してモータ３０５の駆動ノイズが漏れることを完璧に封鎖することができる。また、モータ３０５と補助フィルタ部材２７０とを連結する別の連結装置およびこれに加えられるシーリング装置の設置が要らないため真空掃除機の製造を便利にかつ製造コストをダウンさせることができる。
【００３３】
以下、図３ないし図７を参照しながら本発明の好適な実施形態にかかるモータ組立体３００を詳説する。
【００３４】
モータ３０５は、ゴミ吸込孔に吸込力を発生させるためのもので、一般の真空掃除機に用いられるファンモータと同一なのでそれに対する詳説は省く。補助フィルタ部材２７０は、サイクロン集塵装置１３０とモータ３０５とを連結する空気流路上に配されるよう、後述されるモータケース３１０に着脱自在に設けられ、サイクロン集塵装置１３０から排気される空気を再度フィルタリングできるようスポンジのような多孔性部材で形成されることが好ましい。
【００３５】
モータケース３１０は、第１のケース３２０と第２のケース３３０とを含む。
【００３６】
第１のケース３２０は、モータ３０５の上方部、すなわち、空気流動を発生させるファンユニットファンユニット３０６側を取り囲むよう形成され、補助フィルタ部材２７０が着脱自在に取付けられる第１のチャンバ３５０がその内部に形成される。そして、第１のケース３２０は、第１のポート３２３、出入口３２５、連結孔３２４を含む。前記第１のポート３２３は、集塵装置１３０の出口１３３と連結される吸気口１２８に連結され、集塵装置１３０と第１のチャンバ３５０を空気疎通可能に連結する。連結孔３２４は第１のケース３２０の下部壁３２２のほぼ中央部に貫通形成され、第２のケース３３０と第１のケース３２０との結合時に第１のチャンバ３５０と後述される第２のチャンバ３６０を互いに空気疎通可能に連結する。一方、出入口３２５は、モータケース３１０が掃除機本体２２０に取付けられた状態で掃除機本体２２０の外部に露出するよう形成され、第１のチャンバ３５０の一側をオープンさせる。かかる出入口３２５には、着脱部材２７２が着脱自在に挿入される。前記着脱部材２７２は、補助フィルタ部材２７０を第１のチャンバ３５０に設けることを補助するためのもので、保持部２７５および蓋体部２７３を含む。保持部２７５は、補助フィルタ部材２７０を保持し着脱部材２７２の装着時に第１のチャンバ３５０の内部に配される。これによれば、図７に示すように、第１のポート３２３を介して第１のチャンバ３５０内に流入される空気が補助フィルタ部材２７０を経由して連結孔３２４を通って後述される第２のチャンバ３６０に排気されるのでサイクロン集塵装置１３０から排気される空気を再度フィルタリングできる。従って、真空掃除機のフィルタリング効率を向上させることにも繋がる。なお、蓋体部２７３と出入口３２５の隙間から空気の漏れを抑えるため、出入口３２５または蓋体部２７３の縁部に沿ってシーリング部材(図示せず)がさらに設けられることができる。
【００３７】
第２のケース３３０は、第１のケース３２０の下部オープン面３２２側に結合され、モータ３０５が設けられる第２のチャンバ３６０をモータケース３１０内に形成させる。前記第２のチャンバ３６０は、連結孔３２４を介して第１のチャンバ３５０と空気疎通可能に連結されており、第２のポート３３３を介して掃除機本体２２０の排気口１２７と空気疎通可能に連結されている。
【００３８】
図６および図７に示すように、本実施形態におけるモータケース３１０は、真空掃除機の駆動時に空気流動によるノイズを低減させるためにモータ３０５から排気される空気流路が特定の形状で形成される。かかる空気流路の形状は、第２のケース３３０の内周面にモータ３０５の円周方向に沿ってモータ３０５のファンユニット３０６から第２のポート３３３に延びた案内ダクト３３７により形成される。前記案内ダクト３３７によれば、モータ３０５から排気される空気は第２のケース３３０の内周面に沿って所定の長さ旋回した後、第２のポート３３３に排気されることができるよう案内される。これによれば、モータケース３１０内における空気流路を最大に延長させることで真空掃除機の駆動ノイズを低減させることができる。
【００３９】
一方、本実施形態におけるモータケース３１０は、その上部面が集塵チャンバ２２５の底面をなす。よって、前述された昇降ユニット２６０がモータケース３１０、すなわち、第１のケース３２０の上部面３２１(図３参照)に回動自在に設けられる。これによれば、モータ組立体３００を掃除機本体２２０に設けるとき、モータ３０５と補助フィルタ部材２７０と昇降ユニット２６０とが同時に掃除機本体２２０に設けられるため真空掃除機１００(図１参照)の製造工程がより簡単になされる。
【００４０】
一方、本発明を説明することに当って吸気口組立体１１０(図１参照)と掃除機本体２２０とが互い回動自在に結合するアップライト型真空掃除機の場合にのみ説明したが、これに限定されない。すなわち、吸気口組立体(図示せず)と掃除機本体(図示せず)が分離設置されて延長管のような連結部材によって連結されるキャニスター型掃除機の場合にもまた掃除機本体にもモータ組立体３００の設置が可能である。モータ組立体の適用による作用および効果は前述の実施形態と同一である。
【００４１】
以上で説明された本発明によると、独立的に掃除機本体１２０（図１参照）に設けられたモータ組立体１５０（図２参照）と補助フィルタ組立体１４０（図１参照）が１つのモータケース３１０に統合的に設けられることによってモータ組立体と補助フィルタ組立体との連結部位に設けられた別途のシーリング装置が要らなくなる。
【００４２】
これによって、真空掃除機の駆動時にモータ組立体と補助フィルタ組立体とを連結する連結部位を介して駆動ノイズが漏れることを抑え、より静な環境で掃除作業ができる。
【００４３】
そして、１つのモータ組立体３００につき補助フィルタ部材２７０とサイクロン集塵装置用昇降ユニット２６０の機能が統合されるので真空掃除機の製造コストをダウンさせ得る効果がある。
【００４４】
また、モータケース３１０内に形成された案内ダクト３３７により排気流路がモータケース３１０内で所定の長さがさらに延長され、真空掃除機１００の駆動ノイズを低減させることができる。
【００４５】
以上では、本発明を、本発明の原理を説明するための好適な実施例について図示かつ説明したが、本発明は、そのように図示し説明されたそのままの構成及び作用に限定されるものではなく、却って、添付された特許請求の範囲の思想及び範疇を逸脱することなく、各種の変更及び修正が可能であることを当該発明の属する技術分野における通常の知識を有する者であれば誰でも容易に理解できるはずである。従って、かかるすべての適切な変更及び修正と均等物も本発明の範囲に属することと見做されるべきである。
【産業上の利用可能性】
【００４６】
吸込モータと集塵チャンバとを連結する流路上においてフィルタ部材が分離可能に取付けられる全ての真空掃除機に適用可能である。
【図面の簡単な説明】
【００４７】
【図１】従来の真空掃除機の中アップライト型真空掃除機を一例に挙げてその外観を示す斜視図である。
【図２】図１の掃除機本体を抜粋して示す分離斜視図である。
【図３】本発明の好適な実施形態によるアップライト型真空掃除機の掃除機本体を抜粋して示す分離斜視図である
【図４】図３のモータ組立体を抜粋して示す分離斜視図である。
【図５】図３のモータ組立体を抜粋して示す分離斜視図である。
【図６】本発明の好適な実施形態によるモータ組立体の第２のケースの内部を示す斜視図である。
【図７】図３のVII-VII端面線に沿って本発明の好適な実施形態によるモータ組立体の作動状態を示す断面図である。
【符号の説明】
【００４８】
２２０    掃除機本体
２２５    集塵チャンバ
１３０    サイクロン集塵装置
２６０    昇降ユニット
２７０    補助フィルタ部材
２７２    着脱部材
３００    モータ組立体
３０５    モータ
３１０    モータケース
３２０    第１のケース
３２３    第１のポート
３２４    連結孔
３２５    出入口
３３０    第２のケース
３３３    第２のポート
３３７    案内ダクト
３５０    第１のチャンバ
３６０    第２のチャンバ
【図１】
2005028105.tif 000003
【図２】
2005028105.tif 000004
【図３】
2005028105.tif 000005
【図４】
2005028105.tif 000006
【図５】
2005028105.tif 000007
【図６】
2005028105.tif 000008
【図７】
2005028105.tif 000009